(57)【要約】【課題】クリエータ的なセンスを磨きたいと希望するユーザニーズを発掘し、新たなネットビジネスに結び付けることができる著作物利用システムを提供する。【解決手段】端末装置１０１は、著作物を編集することにより、編集成果物を得て、得られた編集成果物をネットワーク上で公開する旨を、公開サーバに要求する。公開サーバは、編集に係るライセンス料金の支払いに同意するか否かを、公開要求の送信元の端末装置に問い合わせて、ライセンス料金の支払いに同意する旨の回答が端末装置からあった場合、端末装置にアップロードを行わせる。【選択図】　図１２
2004102899.tif 000002
【特許請求の範囲】
【請求項１】
端末装置、公開サーバを含む著作物利用システムであって、
前記端末装置は、
デジタル著作物を編集することにより、得られた編集成果物をネットワーク上で公開する旨の要求を、公開サーバに送信すると共に、編集成果物のアップロードを行うものであり、
前記公開サーバは、
代金支払いに同意するか否かを、公開要求の送信元の端末装置に問い合わせる問合せ手段と、
代金支払いに同意する旨の回答が端末装置からあった場合、編集成果物をアップロードするよう公開要求の送信元端末装置に指示する指示手段と、
指示手段の指示に応じて端末装置から編集成果物がアップロードされれば、編集成果物をネットワーク上で、公開する公開手段とを備え、
前記問合手段が支払い同意を求めた代金は、
編集にあたってのデジタル著作物の利用に要するライセンス料を含む
ことを特徴とする著作物利用システム。
【請求項２】
公開サーバは、映像著作物の著作権者により運営されるものであり、
公開手段による公開は、
編集成果物を、映像著作物の著作権者の公式サイトで掲載する処理を含む
ことを特徴とする請求項１記載の著作物利用システム
【請求項３】
前記公開手段は、
編集成果物のダウンロードを要求する旨の指示を、他の端末装置から受け付ける受付手段と、
ダウンロード要求の要求元端末装置に、編集成果物をダウンロードする送信手段とを備え、
前記著作物利用システムは、
そのダウンロード要求の要求元端末装置に、編集成果物の視聴料の課金を行う課金サーバを備え、
問合手段が支払い同意を求めた代金は、
編集成果物の視聴料金から差し引かれる
ことを特徴とする請求項２記載の著作物利用システム。
【請求項４】
前記課金サーバは、
編集成果物の視聴料金から、問合手段が支払い同意を求めた代金を差し引いた残り代金を、編集成果物の制作者に支払う
ことを特徴とする請求項３記載の著作物利用システム。
【請求項５】
前記公開サーバは、
指示手段の指示に応じて端末装置からアップロードされた編集成果物を再生する再生手段と、
この編集成果物の公開の可否の操作を、公開サーバの管理者から受け付ける受付手段とを備え、
公開手段による公開は、
この編集成果物の公開可の操作を、公開サーバの管理者から受け付けた場合のみ行われる
ことを特徴とする請求項１記載の著作物利用システム。
【請求項６】
前記編集には、
映像著作物に対するアフターレコーディングがあり、
編集成果物は、
アフターレコーディング編集において、映像著作物に付加されるオーディオデータと、
そのオーディオデータを再生すべき時点を特定するタイムコードとを含む
ことを特徴とする請求項１記載の著作物利用システム。
【請求項７】
端末装置は、素材となる映像著作物を再生する再生手段を備え、
前記端末装置は、
ユーザが発した音声の入力を受け付けて、オーディオデータを得る受付手段と、
音声入力がなされた時点を特定するタイムコードを生成する生成手段と
を備えることを特徴とする請求項６記載の著作物利用システム。
【請求項８】
端末装置を含む著作物利用システムにおいて、用いられる公開サーバであって、
デジタル著作物を編集することにより、得られた編集成果物を公開する旨の要求が端末装置から発せられた場合、代金支払いに同意するか否かを、公開要求の送信元の端末装置に問い合わせる問合せ手段と、
代金支払いに同意する旨の回答が端末装置からあった場合、編集成果物をアップロードするよう公開要求の送信元端末装置に指示する指示手段と、
指示手段の指示に応じて端末装置から編集成果物がアップロードされれば、編集成果物をネットワーク上で、公開する公開手段とを備え、
前記問合手段が支払い同意を求めた代金は、
編集にあたってのデジタル著作物の利用に要するライセンス料を含む
ことを特徴とする公開サーバ。
【請求項９】
公開サーバは、映像著作物の著作権者により運営されるものであり、
公開手段による公開は、
編集成果物を、映像著作物の著作権者の公式サイトで掲載する処理を含む
ことを特徴とする請求項８記載の公開サーバ。
【請求項１０】
前記公開手段は、
編集成果物のダウンロードを要求する旨の指示を、他の端末装置から受け付ける受付手段と、
ダウンロード要求の要求元端末装置に、編集成果物をダウンロードする送信手段とを備え、
前記著作物利用システムは、
そのダウンロード要求の要求元端末装置に、編集成果物の視聴料の課金を行う課金サーバを備え、
問合手段が支払い同意を求めた代金は、
編集成果物の視聴料金から差し引かれる
ことを特徴とする請求項９記載の公開サーバ。
【請求項１１】
前記課金サーバは、
編集成果物の視聴料金から、問合手段が支払い同意を求めた代金を差し引いた残り代金を、編集成果物の制作者に支払う
ことを特徴とする請求項１０記載の公開サーバ。
【請求項１２】
前記公開サーバは、
指示手段の指示に応じて端末装置からアップロードされた編集成果物を再生する再生手段と、
この編集成果物の公開の可否の操作を、公開サーバの管理者から受け付ける受付手段とを備え、
公開手段による公開は、
この編集成果物の公開可の操作を、公開サーバの管理者から受け付けた場合のみ行われる
ことを特徴とする請求項８記載の公開サーバ。
【請求項１３】
端末装置を含む著作物利用システムにおいて、コンピュータに公開サーバとしての処理を行わせるプログラムであって、
デジタル著作物を編集することにより、得られた編集成果物を公開する旨の要求が端末装置から発せられた場合、代金支払いに同意するか否かを、公開要求の送信元の端末装置に問い合わせる問合せステップと、
代金支払いに同意する旨の回答が端末装置からあった場合、編集成果物をアップロードするよう公開要求の送信元端末装置に指示する指示ステップと、
指示ステップの指示に応じて端末装置から編集成果物がアップロードされれば、編集成果物をネットワーク上で、公開する公開ステップとをコンピュータに行わせ、
前記問合ステップが支払い同意を求めた代金は、
編集にあたってのデジタル著作物の利用に要するライセンス料を含む
ことを特徴とするコンピュータ読取可能な記録媒体。
【請求項１４】
公開サーバは、映像著作物の著作権者により運営されるものであり、
公開ステップによる公開は、
編集成果物を、映像著作物の著作権者の公式サイトで掲載する処理を含む
ことを特徴とする請求項１３記載のコンピュータ読取可能な記録媒体。
【請求項１５】
前記公開ステップは、
編集成果物のダウンロードを要求する旨の指示を、他の端末装置から受け付ける受付ステップと、
ダウンロード要求の要求元端末装置に、編集成果物をダウンロードする送信ステップとを備え、
前記著作物利用システムは、
そのダウンロード要求の要求元端末装置に、編集成果物の視聴料の課金を行う課金サーバを備え、
問合ステップが支払い同意を求めた代金は、
編集成果物の視聴料金から差し引かれる
ことを特徴とする請求項１４記載のコンピュータ読取可能な記録媒体。
【請求項１６】
前記課金サーバは、
編集成果物の視聴料金から、問合ステップが支払い同意を求めた代金を差し引いた残り代金を、編集成果物の制作者に支払う
ことを特徴とする請求項１５記載のコンピュータ読取可能な記録媒体。
【請求項１７】
前記公開サーバは、
指示ステップの指示に応じて端末装置からアップロードされた編集成果物を再生する再生ステップと、
この編集成果物の公開の可否の操作を、公開サーバの管理者から受け付ける受付ステップとを備え、
公開ステップによる公開は、
この編集成果物の公開可の操作を、公開サーバの管理者から受け付けた場合のみ行われる
ことを特徴とする請求項１６記載のコンピュータ読取可能な記録媒体。
【請求項１８】
著作物利用システムにおいて、エンドユーザにより操作される端末装置であって、
複数フレームの映像からなる動画データを再生する再生手段と、
フレーム毎の同期をとるためのタイムスタンプを、動画データから分離する分離手段と、
ユーザの音声入力を受け付け、その音声をエンコードすることによりオーディオデータを得る受付手段と、
この音声入力があった時点において、再生部により分離されたタイムスタンプを、受付手段が得たオーディオデータとを組み合わせることにより編集データを作成する作成手段と、
作成手段が作成した編集データを、ネットワーク上で公開させるために公開手段にアップロードするアップロード手段と
を備えることを特徴とする端末装置。
【請求項１９】
再生手段により再生される動画データは、著作権保護のために暗号化されている
ことを特徴とする請求項１８記載の端末装置。
【請求項２０】
著作物利用システムにおいて、端末装置としての処理をコンピュータにを行わせるプログラムであって、
複数フレームの映像からなる動画データを再生する再生ステップと、
フレーム毎の同期をとるためのタイムスタンプを、動画データから分離する分離ステップと、
ユーザの音声入力を受け付け、その音声をエンコードすることによりオーディオデータを得る受付ステップと、
この音声入力があった時点において、再生部により分離されたタイムスタンプを、受付手段が得たオーディオデータとを組み合わせることにより編集データを作成する作成ステップと、
作成ステップが作成した編集データを、ネットワーク上で公開させるために公開手段にアップロードするアップロードステップと
をコンピュータに行わせるコンピュータ読取可能なプログラム。
【発明の詳細な説明】
【０００１】
【発明が属する技術分野】
本発明は、公開サーバ、端末装置からなる著作物利用システムに関し、動画像データの転送をネットワーク上で実現する場合の改良に関する。
【０００２】
【従来の技術】
近年、市販のパーソナルコンピュータにも、デジタル映像を編集するアプリケーションプログラムがプリインストールされており、映像編集は、一般のユーザにとってごく身近なものになりつつある。そのようなアプリケーションプログラムには、アナログ映像信号を取り込んでデジタル化するというビデオキャプチャ機能が存在しており、この機能を用いることにより、アナログ信号で放送された映像著作物をデジタル化して編集することも可能である。
【０００３】
ここでの編集はどういうものかというと、既存の映像著作物に自分なりの解説やアフレコを加えるという簡易なものから、オリジナルのシーンを挿入する高度なものまで多種多様である。しかし、簡易な編集とはいえ、これらの行為は、映像著作物の著作権侵害になり得ることにはかわりない。そうした理由から、かかる楽しみ方は、個人的に行われたり、愛好者同士でひっそりと非営利に行われることが一般的である。
【０００４】
昨今では、映像著作物はデジタル化され、暗号化されて配給されることが一般的になってきており、映像著作物に上述したような編集を施すことは困難になっている。暗号化を施すことで上述したような編集を排除することは、著作権者にとって、大きなメリットである。その反面、かかる暗号化は、ユーザからかかる楽しみ方を奪うことになっている。
【０００５】
尚、個人的な映像編集を実現する先行技術として、以下の特許文献１に記載されたものがある。
【０００６】
【特許文献１】
特許第３０５０３１１号公報
【０００７】
【発明が解決しようとする課題】
著作権との関係から、エンドユーザによる映像著作物の編集がタブー視されているとはいえ、既存の映像著作物を編集し、得られた編集成果物を他の人に見てもらいたいと希望しているユーザは少なからず存在する。そのような人々はどのような人かというと、映像著作物を一から作る程の設備や技量はなくても、映像クリエータ的なセンスを磨くことを希望する人々である。そのような希望を抱く人々の数は相当数に登ると考えられ、仮に、映像著作物の配給権等を所有する著作権者が彼等のユーザニーズを発掘し、ネットビジネスに結び付ければ、相当の利益を得ることができると考えられる。しかし著作権との関係から、映像著作物の配給権等を所有する著作権者は、エンドユーザによる映像著作物の編集に拒否反応を示すことが多く、かかるユーザニーズは、日の目をみないまま埋もれているのが現状であった。
【０００８】
本発明の目的は、クリエータ的なセンスを磨きたいと希望するユーザニーズを発掘し、新たなネットビジネスに結び付けることができる著作物利用システムを提供することである。
【０００９】
【課題を解決するための手段】
上記目的を達成するため、本発明に係る著作物利用システムは、端末装置、公開サーバを含み、前記端末装置は、デジタル著作物を編集することにより、得られた編集成果物をネットワーク上で公開する旨の要求を、公開サーバに送信すると共に、編集成果物のアップロードを行うものであり、前記公開サーバは、代金支払いに同意するか否かを、公開要求の送信元の端末装置に問い合わせる問合せ手段と、
代金支払いに同意する旨の回答が端末装置からあった場合、編集成果物をアップロードするよう公開要求の送信元端末装置に指示する指示手段と、
指示手段の指示に応じて端末装置から編集成果物がアップロードされれば、編集成果物をネットワーク上で、公開する公開手段とを備え、
前記問合手段が支払い同意を求めた代金は、編集にあたってのデジタル著作物の利用に要するライセンス料を含むことを特徴としている。
【００１０】
【発明の実施の形態】
（第１実施形態）
以下、本発明に係る著作物利用システムの実施形態について、図面を参照しながら説明する。図１は、第１実施形態に係る著作物利用システムの内部構成を示す図である。
【００１１】
本図に示すように、本実施形態に係る著作物利用システムは、ネットワーク１００に接続された端末装置１０１、１０２、１０３と、公開サーバ１０４と、課金サーバ１０５とからなる。
ネットワーク１００は、光ファイバーネットワークをバックボーンとしたブロードバンドネットワークであり、ＭＰＥＧ２，ＭＰＥＧ４方式で圧縮された動画像データを高速に転送することができる。本実施形態においてネットワーク１００上で転送される動画像データは、ユーザが作成した編集成果物（コンテンツともいう）である。
【００１２】
端末装置１０１、１０２、１０３は、ユーザに操作されるパーソナルコンピュータやネット家電であり、既存の映像著作物を編集することにより編集成果物を得て、この編集成果物とインデックス情報とを公開サーバにアップロードする。また公開サーバに既に蓄積されている編集成果物を、ダウンロードすることもでき、ダウンロードされた編集成果物を再生することもできる。尚、図１において図示している端末装置は端末装置１０１〜端末装置１０３の３つであるが、これは簡略化しているに過ぎず端末装置は何台存在しても良い。
【００１３】
公開サーバ１０４は、端末装置からアップロードされた編集成果物及びそれについてのインデックス情報が蓄積されるサーバ装置であり、ホームページ上にこれら編集成果物を公開している。公開サーバによる公開とは、編集成果物の概要を示すインデックス情報を、ホームページで表示すること（１）、ユーザからの要求に応じて、編集成果物をダウンロードして、ユーザの端末装置で再生させること（２）の両方の処理を含む。公開の一端として、編集成果物をダウンロードすることから、本公開サーバは動画像データの配信サーバとしての機能を有する。この公開サーバは、ある著作権者（本実施形態においてこの著作権者は、映像著作物の配給会社ＡＡＡとする）の公式サイトであり、不特定多数のユーザによりアクセスされる。つまり公開サーバに蓄積される編集成果物は、映像著作物の配給会社ＡＡＡの公式サイトにて公開されるのである。編集成果物の公開要件は、編集成果物の制作者がライセンス料の支払いに同意することである。つまりユーザが、映像著作物の編集にあたってのライセンス料の支払いに同意した場合のみ、編集成果物は、配給会社の公式サイトで公開される。これにより著作権者は、クリエータ的なセンスを発揮することを望むユーザから、収益を得ることができる。尚、代金支払いは、ライセンス料だけではなく、編集成果物の保管に要した費用やダウンロードに要すする通信費等を含ませてもよい。
【００１４】
課金サーバ１０５は、端末装置が編集成果物のダウンロードを要求した場合、その編集成果物の視聴料金を、要求元端末装置に課金する。この際、課金サーバは、その編集成果物の再生代金の何割かをライセンス料金として公開サーバに支払い、その残り全ては編集成果物側の端末装置に支払うよう会計処理を行う。編集成果物を創作したユーザは、収益を得ることができるので、クリエータ的なセンスをもったユーザの創作意欲を刺激することができる。また、かかる処理により、配給会社は、編集に係るライセンス料を確実に得ることができる。
【００１５】
図１中のｗｄ１は、端末装置１０１による編集成果物のアップロードを示し、ｗｄ２は端末装置１０２による編集成果物のダウンロードを示す。以降の説明において編集成果物のアップロードを要求する端末装置は端末装置１０１であるものとし、編集成果物のダウンロードを要求する端末装置は端末装置１０１であるものとする。
【００１６】
以上が本実施形態に係る著作物利用システムの内部構成である。続いて、公開サーバがどのような様式で、編集成果物を公開しているかについて説明する。図２は、この公式サイトにおけるホームページのページ構造を示す図である。本図に示すように、この公式サイトは、”トップページｍ１”，”会社案内のページｍ２”，”新作紹介のページｍ３”，”視聴者のページｍ４”，”新規登録ページｍ５”，”インデックスページｍ６，ｍ７，ｍ８”，”編集成果物アップロードのページｍ９”からなる。これらのページは、リンクｌｃ１〜ｌｃ１１により結合している。トップページｍ１上のボタンｔ１，ｔ２，ｔ３をクリックすると、リンクｌｃ１，ｌｃ２，ｌｃ３を介して会社案内ｍ２、新作映画紹介ｍ３、視聴者のページｍ４といったページにジャンプする。図３は、視聴者のページｍ４を詳細に示す図である。視聴者のページでは、”パロディ編”、”○×○×特別編集編”、”自主制作編”、”私のこだわり集”といった編集成果物のタイトルが一覧表示されており、ユーザはこれらをクリックすることができる。図２のリンクｌｃ４，ｌｃ５，ｌｃ６は、図３に示した編集成果物のタイトルをクリックした際、これらの編集成果物のインデックスページｍ６，ｍ７，ｍ８へとジャンプするためのリンクである。図４は、これら３つのインデックスページのうち、１つを示す図である。このインデックスページには、編集成果物のタイトル、ストーリダイジェスト、制作者名、上映時間、ユーザからダウンロード要求を受け付けるダウンロード要求ボタンｂｎ１が配されている。図２のリンクｌｃ８，ｌｃ９，ｌｃ１０は、各インデックス情報におけるダウンロード要求ボタンｂｎ１が押下された際、インデックスページから編集成果物のダウンロードへとジャンプするためのリンクである。
【００１７】
一方、視聴者のページｍ４におけるボタンｂｎ２は、ユーザからの編集成果物の新規登録を受け付けるボタンである。ここでの登録とは、公開サーバにより公開される編集成果物として、ユーザが新たに作成した編集成果物を公開サーバに新たに登録することである。このボタンｂｎ２をクリックすると、リンクｌｃ７を介して新規登録ページｍ５にジャンプする。図５は、新規登録ページｍ５を示す図である。図５の新規登録ページには▲１▼、▲２▼という警告文があり、この文の内容に同意するかどうかの操作を受け付けるボタンｂｎ３，ｂｎ４が配置されている。
【００１８】
図２のリンクｌｃ１１は、同意する旨を示すボタンｂｎ３がクリックされた場合、編集成果物を格納したファイルのアップロードページにジャンプする旨を示し、リンクｌｃ１２は、同意しないとの指示がなされた際、視聴者のページｍ５に戻ることを意味する。図６は、ユーザの端末装置から、公開サーバへのアップロードが行われる際に表示されるページを示す。
【００１９】
編集成果物の公開や公開すべき編集成果物の登録は、このようなページを介した対話操作で実現される。
続いて、端末装置の内部構成について説明する。図７は、端末装置の内部構成を示す図である。図７に示すように、端末装置は、通信部１、ブラウザ部２、動画編集部３、インデックス情報作成部４、ファイル転送部５、ローカルディスク６、再生部７及びユーザインターフェイス８からなる。
【００２０】
通信部１は、ブロードバンドネットワークを介した通信を行う。
ブラウザ部２は、図２に示したページ構造を有する公開サーバの公式サイトのホームページを閲覧する。
動画編集部３は、アナログ状態の映像信号を取り込んで、ビデオキャプチャ機能を実行することにより、デジタル方式の映像著作物を得る。このビデオキャプチャ機能により、アナログ状態で放送されている映像著作物やビデオテープ等に記録されている映像著作物を、デジタル方式の映像著作物に変換することができる。そして得られた映像著作物に、ユーザからの操作に基づいた編集処理を施すことにより、編集成果物を得て、ローカルディスク６に書き込む。
【００２１】
編集成果物には、ビデオキャプチャ機能により得られた動画像データに直接加工を施することにより、作成されるもの（１）、かかる動画像データを加工せず、論理的な再生経路等を定義することにより作成されるもの（２）の２つがある。
編集成果物の内容としては、複数映像著作物の複数シーンを、１つに寄せ集めることにより、特定の思想や感情を表現したもの（１）、映像著作物に、新規なシーンを追加し、この映像著作物をおもしろおかしく風刺したパロディ的なもの（２）がある。
【００２２】
インデックス情報作成部４は、ユーザインターフェイス部８を介したユーザからの操作に基づき、インデックス情報を作成する。作成されるインデックス情報は、編集成果物のタイトル、ストーリダイジェスト、編集成果物を作成した制作者名等により、編集成果物を要約する情報であり、図２に示したインデックスページは、このインデックス情報を公開サーバに送り、公開サーバがこのインデックス情報に新規登録ボタンｂｎ２等を配置することにより作成される。編集成果物はデータサイズが大きく、一見しただけでは、全体像が理解できない。これを補うべくインデックス情報は作成される。
【００２３】
ファイル転送部５は、ＦＴＰ等のファイル転送プロトコルにより、ローカルディスクに格納された編集成果物及びインデックス情報を公開サーバにアップロードする処理や、公開サーバに蓄積された編集成果物をダウンロードする処理を通信部に行わせる。
ローカルディスク６は、端末装置に内蔵されているハードディスクであり、公開サーバにアップロードされるべき編集成果物やインデックス情報、公開サーバからダウンロードされた編集成果物が書き込まれる。
【００２４】
再生部７は、公開サーバからダウンロードされ、ローカルディスク６に格納された映像著作物を再生する。
ユーザインターフェイス８は、マウス、キーボード等を介して、ユーザの指示を受け付けて、その指示を通信部１〜再生部７に伝える。
以上が端末装置の構成要素である。図７における矢印ｊｓ１は、公開サーバに新規登録すべき編集成果物が辿る経路を示し、矢印ｊｓ２は、公開サーバからダウンロードされた編集成果物が辿る経路を示す。この矢印ｊｓ１に示すように、公開サーバに新規登録すべき編集成果物は、動画編集部３によって作成され、一旦ローカルディスク６に格納された後、通信部１により公開サーバにアップロードされる。
【００２５】
一方、矢印ｊｓ２に示すように、公開サーバからダウンロードされた編集成果物は、通信部１によって受信され、一旦ローカルディスク６に格納された後、再生部７に送られて再生される。
続いて公開サーバの内部構成について説明する。図８は、公開サーバの内部構成を示す図であり、本図に示すように公開サーバは、通信部１１、ファイル転送部１２、データベース１３、再生部１４、制御部１５からなる。
【００２６】
通信部１１は、ネットワークを介した通信を行う。
ファイル転送部１２は、ＦＴＰ等のファイル転送プロトコルにより、端末装置により作成された編集成果物及びインデックス情報をアップロードする処理や、端末装置が視聴を要求した編集成果物をダウンロードする処理を通信部１１に行わせる。
【００２７】
データベース１３は、ハードディスク等で構成され、各端末装置からアップロードされたインデックス情報及び編集成果物が蓄積される。図９は、データベース１３がインデックス情報、編集成果物を蓄積するためのディレクトリィ階層を示す図である。本図において、各端末装置からアップロードされたインデックス情報は、ファイルに格納され、そのファイルは、ディレクトリィ”Ｉｎｄｅｘ”に配置される。各端末装置からアップロードされた編集成果物は、ファイルに格納され、このファイルはディレクトリィ”Ｃｏｎｔｅｎｔ”に配置される。これらのディレクトリィの上位には、ディレクトリィ”Ｐｕｂｌｉｃ”があり、このディレクトリィには、別々のディレクトリィに配置されたインデックス情報と、編集成果物との対応をとるための対応表が配置される。図中のｔｈ１，ｔｈ２は、ディレクトリィ”Ｉｎｄｅｘ”に格納されたインデックス情報１と、ディレクトリィ”Ｃｏｎｔｅｎｔ”に格納された編集成果物１との対応関係が、対応表上でとられていることを模式的に示す。図１０は、対応表の詳細を示す図である。対応表は、複数のレコードからなり、各レコードは、インデックス情報及び編集成果物のそれぞれを結び付ける。レコードは、編集成果物の識別子（ＩＤ）ｄ０、編集成果物のタイトルｄ１、その編集成果物の制作者名ｄ２、上映時間ｄ３、インデックス情報を格納したファイルのファイルパスｄ４、編集成果物を格納したファイルのファイルパスｄ５、記入欄ｄ６からなる。記入欄は、インデックス情報の公開の要否を設定する欄であり、公序良俗に反するような内容や、著作者の人格権を害するような内容を含む編集成果物についての記入欄は”公開不可”と設定される。一方、公序良俗に反するような内容や、著作者の人格権を害するような内容を含まない編集成果物についての記入欄は”公開可”と設定される。
【００２８】
再生部１４は、データベース１３に蓄積された編集成果物を再生する。
制御部１５は、プロセッサと、プログラムを格納したメモリとを含み、図２のようなページ構造を有するハイパーテキストを、端末装置に閲覧させる。メモリに格納されているプログラムは、図１１に示す処理手順をＨＴＭＬ等のページ記述言語で記述したものである。以降、図１１のフローチャートを参照しながら、制御部１５の制御内容について説明する。図１１は、ホームページを表示する際、公開サーバが行うべき処理手順を示す。本フローチャートにおいて、ステップＳ１では、ディレクトリィに格納された対応表に従って編集成果物のタイトルを一覧表示することにより、図３に示す視聴者のページを表示する。その後、ステップＳ２〜ステップＳ３のループ処理に移行する。このループ処理のうちステップＳ２は、編集成果物のタイトル選択を受け付けるステップであり、編集成果物のタイトルが選択されれば、対応表に基づいて、ディレクトリィからインデックス情報を読み出し、ステップＳ５においてインデックスページを表示する。
【００２９】
インデックスページは、編集成果物のダウンロード要求を受け付けるボタンｂｎ１と、インデックスページの表示終了を受け付けるボタンとをインデックス情報に配置することにより作成される。ダウンロード要求ボタンｂｎ１を表示するのは、インデックス情報の公開と並行して、編集成果物のダウンロードをユーザが希望しているかどうかを判定するためである。ステップＳ６は、編集成果物のダウンロード要求を受け付けるボタンｂｎ１がクリックされたかどうかを判定するステップであり、このボタンｂｎ１がクリックされた場合、対応表のファイルパスを参照して、インデックス情報に対応する編集成果物を特定し、ステップＳ７にてこの編集成果物を要求元端末装置にダウンロードする。これによりユーザは、所望とした編集成果物を最初から最後まで鑑賞することができる。以上が編集成果物を閲覧するための処理手順である。
【００３０】
続いて、編集成果物を公開サーバに新規登録する際の処理手順について説明する。ステップＳ２〜ステップＳ３からなるループ処理にて、ボタンをクリックすることにより、自身が作成した編集成果物の公開を希望する旨の操作をユーザがを行った場合、ステップＳ３がＹｅｓになり、ステップＳ８に移行する。ステップＳ８は、図５の新規登録ページを表示して代金支払いをユーザに提示するステップであり、ステップＳ９は、代金支払いにユーザが同意したかどうかを判定する。このステップＳ８で提示される代金支払いは、公開しようとする編集成果物の作成にあたって、ユーザが行った編集についてのライセンス料金を含む。
【００３１】
ステップＳ１１において制御部１５は、アップロードされた編集成果物及びインデックス情報が正常に受信されたかどうかを判定し、受信されれば、ステップＳ１２にてディレクトリィＩｎｄｅｘ及びディレクトリィＣｏｎｔｅｎｔに、インデックス情報及び編集成果物を格納する。ステップＳ１３では、インデックス情報から編集成果物のタイトルを取り出し、このタイトルに、編集成果物を格納したファイルについてのファイルパスと、インデックス情報を格納したファイルについてのファイルパスと、空白の記入欄とを対応づけて１つのレコードを得る。そしてこのレコードを、ステップＳ１４において対応表に追加する。その後、ステップＳ１５にて、編集成果物を再生する。このような再生を行うのは、記入欄の説明で述べたように、ユーザが作成した編集成果物には公序良俗に違反するような内容や、著作権者の人格権を毀損するような内容が含まれていないかを、公開サーバの管理人に審査させるためである。編集成果物の再生を終えると、ステップＳ１６において公開の可否を受け付け、公開可と設定されれば、ステップＳ１７にて、新たに追加された対応表のレコードの記入欄に、公開可と設定する。公開否と設定されれば、ステップＳ１８にて、新たに追加された対応表のレコードの記入欄に、公開不可と設定する。
【００３２】
図１２は、公開サーバ１０４、端末装置１０１間の通信シーケンスを示す図である。本図における状態ａ１は、端末装置１０１の動画編集部３により、映像著作物の編集が行われ、編集成果物が得られる状態を示す。この状態の後、ホームページアクセス要求の送信ａ２がなされ、トップページの送信ａ３が、公開サーバ１０４から端末装置１０１に対してなされる。このトップページに対して、ユーザが視聴者のページを指定するボタンをクリックすれば、視聴者のページへのアクセス要求ａ４が送信されて、視聴者のページａ５が端末装置１０１に送り返される。
【００３３】
このトップページに対して、ユーザが新規登録ページを指定するボタンをクリックすれば、編集成果物の新規登録要求ａ６が送信されて、新規登録ページｍ５が端末装置１０１に送り返される（ａ７）。
この新規登録ページｍ５において、この新規登録ボタンｂｎ２をクリックすれば、ライセンス料金の支払いに同意する旨ａ８が公開サーバ１０４に送信され、この後、ファイルアップロードのページｍ９が端末装置１０１に送信される（ａ９）。
【００３４】
以上の過程を経て、編集成果物が端末装置１０１から公開サーバ１０４にアップロードされる。編集成果物を公開サーバ１０４が受信した後、正常終了ａ１１を公開サーバ１０４が端末装置１０１に送信すれば処理を終了する。
続いて、端末装置１０２が編集成果物のダウンロードを要求する場合の公開サーバ１０４、端末装置１０１、端末装置１０２、課金サーバ１０５間の通信シーケンスについて説明する。図１３は、端末装置１０２が編集成果物のダウンロードを要求する場合の通信シーケンスを示す図である。端末装置１０２が公開サーバ１０４をアクセスし、視聴者のページに至るまでの過程（ａ２〜ａ５）は、図１２と同じである。この視聴者のページに対し、ユーザが何れかの編集成果物のタイトルをクリックし、インデックスページの表示させたとする。そしてインデックスページ上のボタンをクリックすると、編集成果物の閲覧要求ａ２１が送信される。閲覧要求が送信されれば、公開サーバ１０４から端末装置１０２への編集成果物のダウンロードａ２２が行われる。この編集成果物を端末装置１０２が正常に受信すると、端末装置１０２は公開サーバ１０４に対して正常終了ａ２３を通知する。そうすると公開サーバ１０４は、課金サーバ１０５に課金要求ａ２４を送る。課金要求が送られた公開サーバ１０４は、端末装置１０２に対し課金ａ２５を行う。このようにして編集成果物の視聴料金が課金サーバ１０５により徴収される。その後課金サーバ１０５は、視聴料金のうち、ライセンス料金を公開サーバ１０４に振り込み（ａ２６）、視聴料金からライセンス料金を控除した額を、端末装置１０１（編集成果物を制作した端末装置）に振り込む（ａ２７）。
【００３５】
以上に説明した本実施形態に係る著作物利用システムは、ネットワークサービスのプロバイダ、配給会社、端末装置の製造メーカの三者に以下に示すような効果をもたらす。
ブロードバンドネットワークの接続サービスのプロバイダは、動画像データを高速に転送できるという点をセールスポイントにユーザにアピールしておきながら、ネットワークで伝送できる動画像データが慢性的に不足しているため、魅力ある動画像データを加入者に供給することができず、新規加入者の獲得に苦戦を強いられている。そこでこのようなプロバイダが、映像著作物の配給会社と提携し、本実施形態に示したネットビジネスを行うことにより視聴可能な映像著作物の数を増やせば、ブロードバンドネットワークの接続サービスの魅力を高めることができる。
【００３６】
映像著作物の配給会社は、映像著作物のソフト販売やソフトレンタルで収益を得るという事業形態をとっている。ところが映像著作物のソフト市場自体が飽和状態にあり、ここ数年は、よほどのヒット作に恵まれない限り、収益があげられない状態に陥っている。そこで本実施形態に示したビジネスを配給会社が行えば、いわば陳腐化してデッドストックと化した映像著作物を編集素材としてユーザに供給するだけで収益を得ることができる。新たに映像著作物として販売する程の商品価値はないが、古くから多くの視聴者に親しまれている映像著作物に、新たに利用価値を与えることができるので、そのような映像著作物を多く擁する配給会社にとって有力な収益源になる。
【００３７】
既存の映像著作物を編集し、公開する機会がユーザに付与されるので、端末装置を製造するメーカにとってすれば端末装置の需要増が見込まれることになり、端末装置の増産により相当の利益を得ることができる。
最後に、ユーザにとってすれば、映像クリエータ的なセンスを発揮することにより得られた編集成果物に公開の場が与えられるので、自身の才能を世に出すことができる。
【００３８】
尚、本実施形態において公開の対象を映像著作物に限っているのは以下の理由による。文書や絵画、音楽といった著作物は、それなりの技量があればユーザは、既存の著作物をわざわざ編集しなくても、一からそのような著作物を制作することができる。このため、編集に要するライセンスは、必ずしも必要であるとは限らない。これに対し映像著作物は、創作にあたって多くの器材やスタッフ、資本を必要とするので、一般のユーザが、一からそのような著作物を制作することは不可能に等しい。映像著作物にあたっては、新たな著作物の創作に、既存の映像著作物の編集が不可欠であるので、本実施形態では、映像著作物を編集することにより得られた編集成果物を公開の対象としている。文書や絵画、音楽といった著作物であって、デジタル化したものについての編集成果物であっても、本実施形態に係る著作物利用システムを用いてよいことはいうまでもない。
【００３９】
（第２実施形態）
第２実施形態は、ユーザによる編集が、アフレコである場合の改良である。ユーザが簡易に行うことができる編集の１つに、”解説アフレコ”と呼ばれるものがある。これは、既存の映像著作物に、ユーザがアフターレコーディングを行うことにより、映像著作物の解説を加えるというものである。かかるアフレコにより、コメンテータとしても才能をもったユーザは、映像著作物に対する自分の知識や感想を既存の映像著作物に付加することにより、新たな編集成果物を得ることができる。端末装置がこのアフレコ編集を行った場合、どのようなデータが編集成果物として作成されるかについて説明する。図１４は、端末装置がアフレコを行うことにより得られるアフレコデータを示す図である。本図に示すようにアフレコデータは、複数のオーディオデータと、これらオーディオデータについてのタイムコードとからなる。各オーディオデータは、ユーザがマイクに向かって解説の述べた際、音声をエンコードすることにより得られたオーディオデータである。各オーディオデータについてのタイムコードは、映像著作物の再生時において、各オーディオデータを何時再生するかを提示する時間情報である。
【００４０】
続いてアフレコを行ってアフレコデータを得る端末装置について説明する。
第２実施形態に係る再生部７は、アフレコの対象となるべき映像著作物を再生する。この映像著作物は、ＤＶＤに記録済みされている、デジタル方式のものを再生させればよい。映像著作物の再生の継続中、再生部７は、デジタル方式の映像著作物からタイムスタンプを分離する。タイムスタンプとは、デコードタイミング、及び、再生タイミングを示す時刻情報である。タイムスタンプを、映像著作物を構成する一フレーム毎の映像、及び、一フレーム毎の音声に付与しておき、これに基づきデコード処理及び再生処理を行うことにより、映像及び音声間の同期再生が確立される。
【００４１】
第２実施形態に係る動画編集部３は、再生部から出力されるタイムスタンプを取得するともに、マイクを介したユーザの音声入力がなされるのを待つ。音声入力がなされれば、その音声をエンコードすることによりオーディオデータを得る。この音声入力があった時点において、再生部から出力されたタイムスタンプを用いて、タイムコードを作成する。以上のオーディオデータ生成及びタイムコードの生成を繰り返すことにより、アフレコデータを生成する。
【００４２】
第２実施形態に係るインデックス情報作成部４は、アフレコデータがえられれば、インデックス情報を作成する。インデックス情報は、第１実施形態に示した情報のほか、アフレコの対象となった映像著作物を特定する情報（タイトル等）を含む。インデックス情報が作成されれば、このインデックス情報とともにアフレコデータを公開サーバにアップロードして、公開サーバに蓄積させる。アフレコデータは、編集成果物としてデータベース１３のディレクトリィに蓄積されることになる。
【００４３】
続いてアフレコデータを公開サーバから得て、アフレコデータを再生する端末装置について説明する。
端末装置のユーザが、ホームページで公開されているインデックス情報を閲覧し、このインデックス情報に対応する編集成果物を視聴してみたいと希望したものとする。この場合、インデックス情報に記述されている映像著作物、つまり、編集成果物の元の映像著作物を参照して、この映像著作物が記録されたＤＶＤを準備する。そして、公開サーバに蓄積されているをダウンロードして、これを保持する。そして準備されれば、映像著作物、つまり、アフレコの対象となった映像著作物を再生し、この再生の経過時間を監視する。再生経過時間が、タイムコードに示される時間になれば、オーディオデータを再生する。このようにタイムコードに基づきオーディオデータを再生することにより、アフレコの解説をユーザは視聴することができる。
【００４４】
以上のように本実施形態によれば、ＤＶＤ等に記録された映像著作物の差分としてアフレコデータを作成し、このアフレコデータを他のユーザに引き渡すので、映像著作物に何の改変を施すことなく、編集成果物を作成し、これを他のユーザに視聴させることができる。元となる映像著作物に対する改変は不要なので、著作権保護のため暗号化が施された著作物であっても、編集の対象とすることができ、編集可能な映像著作物の幅を増やすことができる。
【００４５】
（第３実施形態）
第１実施形態において編集成果物の引き渡しは、公開サーバを介して行われていた。つまり編集成果物を作成したユーザは、編集成果物を公開サーバにオーディオデータし、編集成果物の視聴を希望するユーザは、公開サーバから編集成果物をダウンロードしていた。これに対して第３実施形態では、編集成果物を創作したユーザの端末装置は、編集成果物の視聴を希望するユーザに、直接編集成果物の転送を行うのである。第３実施形態において公開サーバは、編集成果物を制作した端末装置のＵＲＬを含むインデックス情報を、公開サーバ上で公開する。こうすることで、公開サーバのホームページを閲覧したユーザは、インデックス情報に対応する編集成果物を制作した端末装置がネットワーク上のどの端末装置であるかを知得することができる。そうして知得した端末装置に直接アクセスし、端末装置間で編集成果物を格納したファイルのファイル転送を行うことにより、端末装置同士で編集成果物の引き渡しを行うのである。
【００４６】
以上のように本実施形態によれば、端末装置同士がダイレクトに編集成果物の引き渡しを行うので、公開サーバの処理負荷を低く抑えることができる。
尚、第１〜第３実施形態において説明した公開サーバの特徴は、図１１のフローチャートで示したように、コンピュータ読み取り可能なプログラムの改良により実現される。故に、この特徴部分たるプログラムを、公開サーバとは別個独立に実施してもよい。プログラムがコンピュータ読取可能な記録媒体に記録される場合、この記録媒体を譲渡、貸与するという態様で、プログラムのみを実施してもよい。またプログラムがネットワーク上で配信される場合、ネットワーク上でプログラムを伝送させるという態様で、プログラムを実施してもよい。
【００４７】
【発明の効果】
以上説明したように本発明は、端末装置、公開サーバを含み、前記端末装置は、デジタル著作物を編集することにより、得られた編集成果物をネットワーク上で公開する旨の要求を、公開サーバに送信すると共に、編集成果物のアップロードを行うものであり、前記公開サーバは、代金支払いに同意するか否かを、公開要求の送信元の端末装置に問い合わせる問合せ手段と、
代金支払いに同意する旨の回答が端末装置からあった場合、編集成果物をアップロードするよう公開要求の送信元端末装置に指示する指示手段と、
指示手段の指示に応じて端末装置から編集成果物がアップロードされれば、編集成果物をネットワーク上で、公開する公開手段とを備え、
前記問合手段が支払い同意を求めた代金は、編集にあたってのデジタル著作物の利用に要するライセンス料を含むことを特徴としている。
【００４８】
例えば編集成果物の公開の場が、大手配給会社の公式ホームページ等である場合、クリエータ的なセンスをもつ多くのユーザが、自身が作成した編集成果物をこの場で公開させることを希望すると考えられる。大手配給会社は、この編集成果物をネットワーク上で公開する機会を与えることの対価としてユーザに代金支払いを求めるので、多くの映像著作物を所有している配給会社等にとって、新たな収益源になることが考えられる。これにより映像著作物の編集により得られた編集成果物を他の人に見てもらいたいと希望しているエンドユーザを対象に、新たなネットビジネスを展開することができる。
【００４９】
前記課金サーバは、編集成果物の視聴料金から、問合手段が支払い同意を求めた代金を差し引いた残り代金を、編集成果物の制作者に支払うようにしてもよい（４）。編集成果物を創作したユーザは、収益を得ることができるので、クリエータ的なセンスをもったユーザの創作意欲を刺激することができる。また、かかる処理により、配給会社は、編集に係るライセンス料を確実に得ることができる。
【００５０】
前記公開サーバは、指示手段の指示に応じて端末装置からアップロードされた編集成果物を再生する再生手段と、この編集成果物の公開の可否の操作を、公開サーバの管理者から受け付ける受付手段とを備え、公開手段による公開は、この編集成果物の公開可の操作を、公開サーバの管理者から受け付けた場合のみ行われるようにしてもよい（５）。ユーザが作成した編集成果物には公序良俗に違反するような内容や、著作権者の人格権を毀損するような内容が含まれていないかを、公開サーバの管理人に審査させることができ、公開を行う著作権者の名誉を保護することができる。
【００５１】
前記編集手段による編集には、映像著作物に対するアフターレコーディングがあり、編集成果物は、アフターレコーディング編集において、映像著作物に付加されるオーディオデータと、そのオーディオデータを再生すべき時点を特定するタイムコードとを含んでいてもよい（６）。オリジナルの映像著作物の差分としてアフレコデータを作成し、このアフレコデータを他のユーザに引き渡すので、映像著作物に何の改変を施すことなく、編集成果物を作成し、これを他のユーザに視聴させることができる。元となる映像著作物に対する改変は不要なので、著作権保護のため暗号化が施された著作物であっても、編集の対象とすることができ、編集可能な映像著作物の幅を増やすことができる。
【図面の簡単な説明】
【図１】第１実施形態に係る著作物利用システムの内部構成を示す図である。
【図２】この公式サイトにおけるホームページのページ構造を示す図である。
【図３】視聴者のページｍ４を詳細に示す図である。
【図４】これら３つのインデックスページのうち、１つを示す図である。
【図５】新規登録ページｍ５を示す図である。
【図６】ユーザの端末装置から、公開サーバへのアップロードが行われる際に表示されるページを示す図である。
【図７】端末装置の内部構成を示す図である。
【図８】公開サーバの内部構成を示す図である。
【図９】データベース１３がインデックス情報、編集成果物を蓄積するためのディレクトリィ階層を示す図である。
【図１０】対応表の詳細を示す図である。
【図１１】ホームページを表示する際、公開サーバが行うべき処理手順を示す図である。
【図１２】公開サーバ１０４、端末装置１０１間の通信シーケンスを示す図である。
【図１３】端末装置がアフレコを行うことにより得られるアフレコデータを示す図である。
【図１４】端末装置がアフレコを行うことにより得られるアフレコデータを示す図である。
【符号の説明】
１　　通信部
２　　ブラウザ部
３　　動画編集部
４　　インデックス情報作成部
５　　ファイル転送部
６　　ローカルディスク
７　　再生部
８　　ユーザインターフェイス
１１　　通信部
１２　　ファイル転送部
１３　　データベース
１４　　再生部
１５　　制御部
１００　　ネットワーク
１０１　　端末装置
１０２　　端末装置
１０３　　端末装置
１０４　　公開サーバ
１０５　　課金サーバ
【図１】
2004102899.tif 000003
【図２】
2004102899.tif 000004
【図３】
2004102899.tif 000005
【図４】
2004102899.tif 000006
【図５】
2004102899.tif 000007
【図６】
2004102899.tif 000008
【図７】
2004102899.tif 000009
【図８】
2004102899.tif 000010
【図９】
2004102899.tif 000011
【図１０】
2004102899.tif 000012
【図１１】
2004102899.tif 000013
【図１２】
2004102899.tif 000014
【図１３】
2004102899.tif 000015
【図１４】
2004102899.tif 000016